(57)【要約】本発明の目的は、特に短い座面を持つシートクッション、長い座面を持つシートクッション、および全面ベッドを形成するための、ソファベッドの調節座面の構成にあり、伸縮式の縦材の組を備えたフレームと、前記縦材の間に配置されてマットレス（３８）が上に載せられる帯板と、前記帯板の相互結合手段とを含み、フレーム（１２）の自由端へのマットレス（３８）の固定手段（３２）を含むことを特徴とする。  本発明は、また、この構成を備える家具用品に関する。
2006500135.tif 000002
【特許請求の範囲】
【請求項１】
特に短い座面を持つシートクッション、長い座面を持つシートクッション、および全面ベッドを形成するための、ソファベッドの調節座面の構成であって、伸縮式の縦材の組（１６、１８、２０）を備えたフレーム（１２）と、前記縦材の間に配置されてマットレス（３８）が上に載せられる帯板（２４）と、前記帯板の相互結合手段（３０）とを含み、フレーム（１２）の自由端へのマットレス（３８）の固定手段（３２）を含むことを特徴とする構成。
【請求項２】
前記固定手段（３２）の、縦材の最終組（２０）の端部横材（３４）に結合される第一の部分（３６）と、マットレス（３８）に結合される部分（４２）とを含むことを特徴とする請求項１に記載のソファベッドの調節座面の構成。
【請求項３】
固定手段（３２）が、Ｕ字形に折り曲げられる剛性の金属線からなる止め具（３６）を含み、この止め具が座面の平面に配置されて、フレーム（１２）の端部横材（３４）に結合されており、また、マットレス（３８）のカバー（４０）に結合されるスリーブ（４２）を含み、前記スリーブが前記止め具を受容することを特徴とする請求項２に記載のソファベッドの調節座面の構成。
【請求項４】
帯板（２４）を受容する鞘（ｆｏｕｒｒｅａｕ）（４８）を含み、鞘自体が、帯板と同数の溝（５０）と、端への結合手段（５２、５４）とを含むことを特徴とする請求項１から３のいずれか一項に記載のソファベッドの調節座面の構成。
【請求項５】
各溝（５０）が一定の長さを有し、また、帯板の幅とほぼ同じ幅を有することを特徴とする請求項４に記載のソファベッドの調節座面の構成。
【請求項６】
縦材の組（２０）の縦材に結合された少なくとも一つの格納式の脚（５６）を含み、各脚（５６）が、対応する縦材に配置されたローラ（５８）と、開口部（２２）を通る回転軸（６０）と、前記回転軸（６０）に結合されるアーム（６２）と、押さえピン（６４）と、ブロック手段（６６）とを含むことを特徴とする請求項１から５のいずれか一項に記載のソファベッドの調節座面の構成。
【請求項７】
前記ブロック手段（６６）が、縦材の別の組（１６）と協働可能なフック（６８）からなり、このフックが弾性戻し手段（７０）を備えることを特徴とする請求項６に記載のソファベッドの調節座面の構成。
【請求項８】
アーム（６２）の端が、キャスター（７２）を支持することを特徴とする請求項７に記載のソファベッドの調節座面の構成。
【請求項９】
結合手段を備えるパッド（ｃｏｕｅｔｔｅ）を含み、前記結合手段が、側面部分を折り曲げてシートクッションカバーとベッドパッドとの二つの機能を果たすように構成されていることを特徴とする請求項１から８のいずれか一項に記載の座面構成を含む家具用品。
【請求項１０】
マットレスが、折り曲げエリアに配分された、中空になっていない横スリット（４３）を含むことを特徴とする請求項１から９のいずれか一項に記載の座面構成を含む家具用品。
【発明の詳細な説明】
【技術分野】
【０００１】
本発明は、特に短い座面を持つシートクッション、長い座面を持つシートクッション、および全面ベッドを形成するための、ソファベッドの調節座面の構成に関する。
【０００２】
本発明は、また、これによって得られる家具用品に関する。
【背景技術】
【０００３】
公知の独国特許第１５２９５６０号明細書は、ベッドを構成するために座面の長さを変えられる伸縮式構造を記載している。
【０００４】
この特許は、必要とされる摺動部分と摺動路との多数の変形実施形態を開示しているが、かといって、このような調節座面の構成により提起される問題をそれほど解決しているわけではない。
【０００５】
実際、ソファベッドの場合、独立したマットレスを後で供給しなくてすむように、マットレスは組み込まれている。そのため、ソファベッドに関する様々な長所が失われてしまい、発明の範囲から逸脱してしまう。このようなソファベッドは、同様に本出願人名義による仏国特許第０１０３８３７号明細書に完全に記載されている。
【０００６】
ソファベッドは、縦材が伸縮式であるフレームと、シートクッション同様に座面のマットレス台をなす帯板と、マットレスとを含み、このマットレスがシートクッションの座面の詰め物（ｇａｒｎｉｔｕｒｅ）となり、ベッド位置に変換後はベッドマットとなる。
【発明の開示】
【発明が解決しようとする課題】
【０００７】
第一の問題は、ベッド位置からシートクッション位置への移行時に、マットレスを適切に折り曲げるようにしなければならないことにある。
【０００８】
第二の問題は、伸縮式の縦材で摺動し、端が前記縦材の溝に配置される帯板の問題である。端部品と、帯板の牽引リンク装置とが設けられているが、帯板は、リンク装置を牽引する前の並進操作時に横に配置される傾向があり、これは満足のいくものではない。
【０００９】
さらに、フレーム端にマットレスを結合可能にして、折り曲げ作業中、マットレスがフレームに結合され続けるようにしなければならないが、これはまた別の問題を提起する。
【００１０】
脚部についても問題があり、特に端の脚部は、フレームをベッド位置で有効に支持しつつ作業に支障を与えないようにしなければならないことから問題となる。
【００１１】
このように、シンプルな様相を呈しながらあらゆる場合に動作する申し分なく適合した製品を得るには、複数の問題を解消しなければならないことが分かる。
【課題を解決するための手段】
【００１２】
本発明は、ソファベッドの調節式の座面の構成を改良することにより、上記の制約に対処するものである。
【００１３】
このため、特に短い座面を持つシートクッション、長い座面を持つシートクッション、および全面ベッドを形成するための、ソファベッドの調節座面の構成が、伸縮式の縦材の組を備えたフレームと、これらの縦材の間に配置されてマットレスが上に載せられる帯板と、前記帯板の相互結合手段とを含み、フレームの自由端にマットレスの固定手段を含むことを特徴とする。
【００１４】
別の特徴によれば、これらの固定手段の第一の部分は、最終組の縦材の端部横材に結合されており、一つの部分は、マットレスに結合されている。
【００１５】
実施形態によれば、固定手段が、Ｕ字形に折り曲げた剛性の金属線からなる止め具を含み、この止め具が座面の平面に配置されて、フレームの端部横材に結合され、また、マットレスのカバーに結合されるスリーブを含み、前記スリーブが前記止め具を受容する。
【００１６】
本発明による構成は、また、帯板を受容する鞘を設けており、鞘自体が、帯板と同数の溝と、端への結合手段とを含む。
【００１７】
有利には、各溝が、一定の長さを有し、帯板の幅とほぼ同じ幅を有する。
【００１８】
また、縦材の組の縦材と結合される少なくとも一つの格納式の脚を含み、各脚が、対応する縦材に配置されたローラと、開口部を通る回転軸と、前記回転軸に結合されるアームと、押さえピンと、ブロック手段とを含む。
【００１９】
ブロック手段は、縦材の別の組と協働可能なフックからなり、フックは弾性戻し手段を備える。
【００２０】
本発明は、また、結合手段を備えるパッドを含み、前記結合手段が、側面部分を折り曲げてシートクッションカバーとベッドパッドとの二つの機能を果たすように構成されている家具用品に関する。
【００２１】
以下、添付図面を参照しながら、限定的ではない実施形態について説明する。
【発明を実施するための最良の形態】
【００２２】
従来技術を示す図１では、図示されたフレーム１０が、シートクッション１２と、ベッドヘッドを同様に形成するシートバック１４とを含む。
【００２３】
シートクッション１２は変換式であり、この場合には３組の、縦材１６、１８、２０の組からなる。各組の縦材は同じ側に配置され、伸縮式であって、互いに摺動式に取り付けられており、この座面の長手方向の寸法を調整できるようにしている。
【００２４】
これらの縦材は、それぞれ、長手方向のスリット２２を内面に有し、このスリットが、マットレス台をなす帯板２４の端を受容する。
【００２５】
スペーサ２６は、前記フレームの剛性と機械抵抗とを確保する。脚部２８がこのフレームを補完する。これらの脚部は、摺動部分の各並進運動時の移動に従うように縦材に結合されている。
【００２６】
従来技術を示す図２では、帯板どうしを機械的に関連づける結合手段３０の存在が認められる。そのため、ベッドに変換するためにシートクッションを引っ張ると、第一の帯板が第二の帯板を引っ張り、展開するにつれて以下同様に続く。
【００２７】
同様に従来技術に関する図３は、各縦材の内面にスリット２２を配置するという長所を示している。何故なら、弾性の戻し運動を行うように上反りになっている各帯板は、フレームが負荷を引き受けるときに延びるからである。
【００２８】
このフレームにマットレスを置くように構成し、このマットレスにパッド（図示せず）を載せ、パッドが、シートクッションカバーとベッドパッドとの２つの役割を果たす。
【００２９】
このため、取り付けられる結合手段は、たとえば圧力を用いて側面部分を折り曲げることができる。
【００３０】
図４を参照すると、本発明による実施形態は、フレームの自由端にマットレスの固定手段３２を設けることからなる。
【００３１】
このため、固定手段の第一の部分は、止め具３６として縦材の最終組２０の端部横材３４に結合される。
【００３２】
この場合には、止め具３６が、予めＵ字形に折り曲げた剛性の金属線から形成され、その端が、たとえば溶接により前記端部横材３２に結合される。
【００３３】
金属線からなる止め具のＵ字形の底は、シートバック側に向けられる。
【００３４】
変形実施形態では、止め具が、２個の平行なロッドだけを含むことができる。
【００３５】
マットレス３８は、このアセンブリに置かれ、本発明によれば、有利には、固定手段３２の別の部分を構成するスリーブ４２を備えたカバー４０が設けられる。この実施形態では、これは、マットレスのカバーの下面に嵌め込まれるポケットである。止め具が２個のロッドの場合は、むしろ２個のスリーブを設けた方がよい。
【００３６】
マットレスの構成材料の密度の選択も同様に重要である。何故なら、ベッド位置からシートクッション位置への座面の移行時の折曲げを妨げずに、ベッドとシートクッションとの快適性を確保するのに十分な密度にしなければならないからである。有利には、材料が、高密度の発泡材である。変形実施形態では、全部で３個の連結モジュールを設けることができ、カバーが、それらを連結結合する。
【００３７】
図５Ａでは、ソファベッドの座面がベッド位置にある。
【００３８】
マットレス３８はカバー４０内にあって、止め具３６がスリーブ４２に入れられている。
【００３９】
ユーザが横材３４を押すと、縦材が押されて互いに入り込み、座面の長さが短縮される。
【００４０】
マットレス３８が第一の部分全体でフレーム端に固定されている場合、座面を短縮する際のマットレスに対する唯一の解決方法は、図５Ｂに示したようにマットレスをたわめることである。
【００４１】
止め具は、ベッドまたは座面の平面で一定の長さにわたって伸びているので、マットレスは、Ｓ字形をなす２個の対向曲線４４、４６により位置づけられる。
【００４２】
この二つの曲線は、座面を並進させながら短くしていくにつれて大きくなり、図５Ｃに概略的に示した形状に至る。
【００４３】
Ｕ字形または２個のロッドを有する止め具の代わりに、プレート等の、固定手段のあらゆる変形実施形態が同等技術とみなされ、この場合には、前記プレートへのカバーの固定圧が用いられる。
【００４４】
快適性にすぐれた一定の事例では、発泡材の密度が高いか、または厚みがあって、Ｓ字形の折曲げが難しい。この作業を簡単にし、ユーザが全く不都合を感じないようにするために、図６に示されたマットレスは、特に折り曲げエリアに配分された、中空でない横スリット４３を備える。このようにして、マットレスが折り曲げ圧を受けた場合にスリットに面したマットレスの厚みを低減し、マットレスを適合させる際に問題が起きないようにしている。スリットは、外側面で開き、内弧面で結合して、連結性および柔軟性を得られるようにされている。
【００４５】
使用位置では、スリットは感じられず、マットレスは、その厚み全体で優れた快適性を提供し、座った位置または寝た位置での身体の圧力が低減される。
【００４６】
図７Ａでは、帯板の間の結合手段３０の実施形態を示した。図示された実施形態により、帯板を横に配置するという問題を解決することができる。
【００４７】
この実施形態は、帯板の幅とほぼ同じ幅の布から製造される鞘４８からなり、対応する帯板の大部分を各々で収容できるように、一定の長さおよび一定の幅の多数の溝５０を備える。
【００４８】
かくして、各帯板は、前の帯板とほぼ平行に保持される。縦材に対する角度の自由度は、いずれの場合にも減少し、座面の展開または折り曲げ時のあらゆるブロックが阻止される。
【００４９】
この解決方法は工業的な解決方法であり、また、経済的に実現できるという長所があって、特に、このような状況では、場合によっては帯板の端部品をなくすことができる。
【００５０】
鞘の端には、この鞘の端を片側でシートバック／ベッドヘッド１４に、反対側でたとえば横材３４に結合するための連結手段５２、５４が設けられている。
【００５１】
図７Ｂでは、帯板２４を通せるようにホール５５を設けることからなる鞘４８−１の変形実施形態を示した。この場合、帯板２４は、横軸に応じて上／下に配置される。
【００５２】
図８Ａ、８Ｂでは、格納式の脚部５６が、縦材の組２０の縦材に結合されている。
【００５３】
各脚部５６は、対応する縦材に取り付けられたローラ５８を含み、回転軸６０が開口部２２を通り、アーム６２がこの回転軸６０に結合されている。
【００５４】
そのため、アーム６２は、回転軸６０を中心として自在に回転し、ローラは、直径が開口部２２の幅より大きいので、縦材でそこから抜けることなく回転可能である。
【００５５】
アームは、さらに、押さえピン６４を支持する。
【００５６】
各縦材にはまた、帯板２４の端があり、帯板が互いに押し当るので、特に座面が小さいシートクッション位置では、利用可能なスペースが制限される。
【００５７】
ブロック手段６６は、複数の機能を果たす。
【００５８】
これらのブロック手段は、縦材の組１６と協働可能で、特にスペーサ２６の一つと協働可能な、フック６８からなる。フックは弾性戻し手段７０を備える。
【００５９】
アセンブリを補完するために、操作の便宜上、アーム６２の端にキャスター７２を嵌め込む。
【００６０】
この格納式の脚部の動作は自動式である。
【００６１】
シートが短い座面の位置にあるとき、各脚のフック６８は、弾性戻し手段７０の作用で、同じスペーサ２６と協働する。
【００６２】
このため、座面の伸びを変えることはできず、ブロック手段６６が座面をロックする。
【００６３】
ユーザがシートクッションの座面をベッドに変換しようとする場合、一方の脚のフック６８を、有利には他方の脚のフックと連携してブロック解除し、各脚が、その自由端に配置されたキャスター７２により床と接触するようにする。
【００６４】
その後、ユーザは、端部横材３４を引っ張ることにより座面を操作する。これによって、まさに鞘が動かされて展開され、帯板が連動される。
【００６５】
牽引の開始時には、スペースが開放されるが、これは、帯板がもはや並置されず、少なくとも第一の帯板が他の帯板に対して並置されないためである。
【００６６】
このため、ローラ５８は縦材で移動することができ、脚部は、そのピン６４が縦材の下面に接触して支持されるようになるまで立っている。
【００６７】
その反対に、座面を折り曲げる場合、帯板の積層がローラを押し、脚を持ち上げて、折り曲げ終了時に引っ掛けられるようにする。
【００６８】
本発明による構成により、技術的、経済的に最良の条件で、工業製造に適した非常に機能的なフレームが得られる。
【００６９】
変形実施形態によれば、この２つの脚部は、たとえばＵ字形の単一体にすることができる。
【００７０】
同様に、短い座面位置にブロック手段を設けることができる。
【図面の簡単な説明】
【００７１】
【図１】従来技術によるフレームの斜視図である。
【図２】従来技術による同フレームの上面図である。
【図３】従来技術によるフレームの縦材を帯板と共に示す詳細図である。
【図４Ａ】本発明によるマットレスの着脱式固定手段を備えた、上記フレームを示す図である。
【図４Ｂ】マットレスのカバーを、マットレスの着脱式固定手段に結合される部分と共に詳しく示す詳細図である。
【図５Ａ】折り曲げ時のマットレスの動きを示す図である。
【図５Ｂ】折り曲げ時のマットレスの動きを示す図である。
【図５Ｃ】折り曲げ時のマットレスの動きを示す図である。
【図６】変換時に必要な折り曲げに合わせられるマットレスを示す図である。
【図７Ａ】前記フレームに結合されるマットレス台の帯板のガイド手段を示す図である。
【図７Ｂ】図７Ａのガイド手段の変形実施形態を示す図である。
【図８Ａ】本発明による折りたたみ式の脚の２つの位置を示す図である。
【図８Ｂ】本発明による折りたたみ式の脚の２つの位置を示す図である。
【符号の説明】
【００７２】
１２：フレーム
１６、１８、２０：縦材の組
２２：開口部
２４：帯板
３０：結合手段
３２：固定手段
３４：横材
３８：マットレス
４３：スリット
４８：鞘
５０：溝
５２、５４：結合手段
５６：格納式の脚
５８：ローラ
６０：回転軸
６２：アーム
６４：押さえピン
６６：ブロック手段
７０：弾性戻し手段
７２：キャスター
【図１】
2006500135.tif 000003
【図２】
2006500135.tif 000004
【図３】
2006500135.tif 000005
2006500135.tif 000006
2006500135.tif 000007
【図６】
2006500135.tif 000008
2006500135.tif 000009
2006500135.tif 000010
【国際調査報告】
2006500135.tif 000011
2006500135.tif 000012
2006500135.tif 000013
2006500135.tif 000014